(57)【要約】【課題】本発明は、放電のスパークを防止しつつ放電電極と対向電極の距離を近づけ、イオンの放出量を増やすことができる放電ユニットおよびこれを用いた空気清浄装置を提供することを目的とする。【解決手段】放電電極１７と対向電極１４を有する放電部７ａに電源部２０から電圧を印加して放電回路を形成してコロナ放電させる放電ユニットにおいて、放電電極１７は針状であり、対向電極１４は平板状で、この平板状の対向電極１４に対して、放電電極１７は非接触で、直交に、かつ、その先端を突出させて配置し、前記放電回路内に１０〜５００ＭΩの抵抗体２３を直列に配置する構成とした。【選択図】図３
2014121424.tif 000002
【特許請求の範囲】
【請求項１】
放電電極と対向電極を有する放電部に電源部から電圧を印加して放電回路を形成してコロナ放電させる放電ユニットにおいて、
前記放電電極は針状で、
前記対向電極は平板状で、この平板状の対向電極に対して前記針状の放電電極を非接触で、
直交に、かつ、その先端を突出させて配置し、
前記放電回路内に１０〜５００ＭΩの抵抗体を設けたことを特徴とした放電ユニット。
【請求項２】
抵抗体の両側に針金状のリード線が付属した抵抗器を用いて、
片側のリード線の先端に傾斜部を設け、そのリード線を放電電極として利用したことを特徴とした請求項１記載の放電ユニット。
【請求項３】
抵抗体と放電部の間で分岐させ、放電部を複数配置したことを特徴とする請求項１記載の放電ユニット。
【請求項４】
対向電極は中央部に開口を有し、
前記放電電極は前記開口を貫通することを特徴とした請求項１〜３いずれか１つに記載の放電ユニット。
【請求項５】
対向電極の開口は円形であることを特徴とする請求項１〜４いずれか１つに記載の放電ユニット。
【請求項６】
放電電極は、対向電極の開口の略中心軸上に位置することを特徴とする請求項１〜５いずれか１つに記載の放電ユニット。
【請求項７】
抵抗体の周囲を絶縁物でモールドすることを特徴とする請求項１〜６いずれか１つに記載の放電ユニット。
【請求項８】
抵抗体を、電源部の基板上に配置し、前記抵抗体を設置している部分の前記基板に貫通穴を設け、前記抵抗体の周囲を絶縁物でモールドしたことを特徴とする請求項１〜７いずれか１つに記載の放電ユニット。
【請求項９】
放電電極と対向電極に電源部から電圧を印加してコロナ放電させる放電ユニットにおいて、
前記放電電極と前記電源部の間または前記対向電極と前記電源部の間に１０〜５００ＭΩの抵抗体を直列に接続し、
前記対向電極は環状の金属とし、その中央部に放電電極を非接触で直交に貫通させたことを特徴とした放電ユニット。
【請求項１０】
対向電極と電源部の間に抵抗体を直列に配置する場合であって、
抵抗体の両側に針金状のリード線が付属した抵抗器を用いて、
片側のリード線を環状の金属として構成したことを特徴とする請求項９記載の放電ユニット。
【請求項１１】
電源部から放電電極にマイナス電圧を印加し、対向電極をプラス側に接続することを特徴とする請求項１〜１０のいずれか１つに記載の放電ユニット。
【請求項１２】
電源部から放電電極にプラス電圧を印加し、対向電極をマイナス側に接続することを特徴とする請求項１〜１０のいずれか１つに記載の放電ユニット。
【請求項１３】
吸気口と排気口を有する本体と、
この本体内に送風手段と請求項１１記載の放電ユニットとを設け、
前記送風手段により前記本体の吸気口から吸込んだ空気を、前記放電ユニットに送り、
前記放電ユニットで発生したマイナスイオンを含んだ空気を前記排気口から吹出す構成としたことを特徴とする空気清浄装置。
【請求項１４】
吸気口と排気口を有する本体と、
この本体内に送風手段と静電霧化手段と請求項１２記載の放電ユニットとを設け、
前記送風手段により前記本体の吸気口から吸込んだ空気を、前記静電霧化手段と前記放電ユニットに送り、
前記静電霧化手段で発生した活性種と、前記放電ユニットで発生したプラスイオンを含んだ空気を前記排気口から吹出す構成としたことを特徴とする空気清浄装置。
【発明の詳細な説明】
【技術分野】
【０００１】
本発明は、室内空間の除菌や脱臭を行う、コロナ放電を利用した空気清浄装置に関するものである。
【背景技術】
【０００２】
従来、コロナ放電を利用して、オゾンやマイナスイオンなどを発生させる装置が知られている。その構成は、針電極と、アース電極とを有し、前記針電極とアース電極間に高電圧を印加して、針電極先端部においてコロナ放電を生起させ、このコロナ放電により、オゾンおよびマイナスイオンを発生させるものであった（例えば特許文献１参照）。
【先行技術文献】
【特許文献】
【０００３】
【特許文献１】特開２００４−１８３４８号公報
【発明の概要】
【発明が解決しようとする課題】
【０００４】
上記従来の特許文献１に記載の装置では、放電のスパークを防止するために、放電電極としての針電極と対向電極としてのアース電極の距離を離す必要があった。また、針電極とアース電極を平行に配置しているため、イオン風の発生方向と、コロナ放電の発生部位がずれ、生成したオゾンなどの活性種を効率的に拡散させることができず、活性種の放出量を増やすことは困難であった。
【０００５】
そこで、本発明は、放電のスパークを防止しつつ放電電極と対向電極の距離を近づけ、イオンの放出量を増やすことができる放電ユニットおよびこれを用いた空気清浄装置を提供することを目的とする。
【課題を解決するための手段】
【０００６】
そして、この目的を達成するために本発明は、放電電極と対向電極を有する放電部に電源部から電圧を印加して放電回路を形成してコロナ放電させる放電ユニットにおいて、前記放電電極は針状電極であり、前記対向電極は平板状で、この平板状の対向電極に対して前記針状の放電電極を非接触で、直交に、かつ、その先端を突出させて配置し、前記放電回路内に１０〜５００ＭΩの抵抗体を設ける構成とし、これにより所期の目的を達成するものである。
【発明の効果】
【０００７】
以上のように本発明は、放電電極と対向電極を有する放電部に電源部から電圧を印加して放電回路を形成してコロナ放電させる放電ユニットにおいて、前記放電電極は針状電極であり、前記対向電極は平板状で、この平板状の対向電極に対して前記針状の放電電極を非接触で、直交に、かつ、その先端を突出させて配置し、前記放電回路内に１０〜５００ＭΩの抵抗体を設ける構成としたものであるので、放電のスパークを防止しつつ放電電極と対向電極の距離を近づけ、イオンの放出量を増やすことができる。
【０００８】
すなわち、本発明においては、コロナ放電を発生させる放電回路内に１０〜５００ＭΩの抵抗体を直列に配置する構成としたことにより、対向電極と放電電極の距離を近くでき、その結果放電電流が増えるため、イオンの発生量を増やすことができる。
【０００９】
また、放電電極が対向電極に対して非接触で直行して、かつ、その先端を突出させているため、コロナ放電により発生するイオン風の風量を増加させ、例えば放電電極に＋電圧を印加した場合、発生したプラスイオンがマイナスに接続された対向電極に電気的に吸引されるのを抑制でき、イオン風を効率的に利用して、発生したイオンを放出できるものである。
【００１０】
また本発明によれば、対向電極を環状の金属とし、その中央部に放電電極を非接触で直交に貫通する構成にしたことにより、市販の針金状の金属等を使用することができ、簡単に加工することが可能であり、かつ安価に製造することができる。
【図面の簡単な説明】
【００１１】
【図１】本発明の実施の形態１における空気清浄装置を設置する屋内の斜視図
【図２】同空気清浄装置の断面を示す構成図
【図３】（ａ）同放電ユニットの外観斜視図、（ｂ）同放電ユニットの放電回路図
【図４】同放電部の分解斜視図
【図５】同抵抗器を基板上に配置した図
【図６】同放電ユニットの放電状態を示すイメージ図
【図７】同空気清浄装置の制御回路を示すブロック図
【図８】本発明の実施の形態２における抵抗器を示す図
【図９】本発明の実施の形態３における複数の放電ユニットを示す構成図
【図１０】本発明の実施の形態４における放電電極と対向電極を表す構成図
【発明を実施するための形態】
【００１２】
（実施の形態１）
以下、本発明の実施の形態について、図面を参照しながら説明する。
【００１３】
図１に示すように、空気清浄装置１は、略縦長箱形状で、前面の四方から室内の空気を吸込み、後述するエアフィルタ２で清浄し、本発明の放電ユニットで発生させたイオンと静電霧化ユニットで発生させた活性種を清浄空気とともに天面から室内へ送風するものである。
【００１４】
図２は、図１における空気清浄装置１の断面図を示している。
【００１５】
空気清浄装置１は、吸気口３と排気口４を有する本体５と、この本体５内の送風手段６と、放電ユニット７および静電霧化ユニット８とを備えている。
【００１６】
本体５は、吸気口３の反対側に位置する仕切板部９によって、吸気口３と排気口４とを連通する風路部１０と、空間部１１とに分けられている。
【００１７】
送風手段６は、本体５の仕切板部９に固定された電動機１２と、この電動機１２によって回転する羽根部１３とから形成している。送風手段６によって、吸気口３から吸い込んだ空気の一部は、放電ユニット７および静電霧化ユニット８を介して、排気口４へ送風されるものである。
【００１８】
放電ユニット７は、図３（ａ）に示すように、放電部７ａと、電源部２０にある第１の高電圧発生手段２６と抵抗体２３を備えた構成である。
【００１９】
そして放電部７ａは、図４に示すように孔部２１と電源接続部１９ｂとを有する対向電極１４と、電源接続部１９ａを有する針固定部材１６に固定された針状の放電電極１７と、それらを支える支持部材２２とから形成している。
【００２０】
図３（ｂ）は、図３（ａ）の等価回路を表しており、第１の高電圧発生手段２６から抵抗体２３、電源接続部１９ａを通って、針固定部材１６と電気的に接続された放電電極１７までがプラスの高電圧回路部となり、対向電極１４とその電源接続部１９ｂから第１の高電圧発生手段へ戻る回路部がマイナス（グラウンド）となり、この２つの回路部で構成された回路が放電回路７ｂである。
【００２１】
すなわち、放電ユニット７は、放電電極１７と対向電極１４を有する放電部７ａに電源部２０から電圧を印加して放電回路７ｂを形成してコロナ放電させるものである。
【００２２】
なお、孔部２１を設けなくても、例えば対向電極１４が半分の大きさで半円の切欠を有する形状でも、イオン量を増やすことは可能である。従来の特許文献に記載のように、針電極とアース電極を平行に配置した場合、コロナ放電領域は、針電極とからアース電極側に偏って生成するため、放電領域が小さくなる。一方、本発明のように、放電電極と半導電部を略垂直方向に対向配置した場合、針からみて円錐状に広がりを持ったコロナ放電領域が形成されるため、コロナ放電領域の範囲が広がり、より多くの活性種を発生させることができる。孔部２１を設けた場合には、孔部２１の端面またはその近傍の面に向かってコロナ放電が発生するため、孔部２１の直径を変えることによってコロナ放電の広がり方を変化させることができる。
【００２３】
対向電極１４は、図４に示すごとく、平板形状で略中央に開口である孔部２１を有し、対向電極１４の端部は、支持部材２２を介して本体ケースの仕切板部９に固定されている。
【００２４】
支持部材２２は、対向電極１４を両面から挟み込むように固定する固定蓋２２ａと台座２２ｂで構成され、台座２２ｂの裏側には、針固定部材１６の穴を使用して固定する突起を有している。図４に示す分解した部材を組立てると、図３（ａ）のような全側面の一部を開口した筒形状となる構成であり、支持部材２２が内部に放電電極１７と対向電極１４を設けたケースを構成している。
【００２５】
抵抗体２３は、図５に示すように、図２に記載の電源部２０の基板３１上に配置しており、抵抗体２３部分の基板３１に貫通したモールド孔３３を設けている。そして、モールド材３２を用いて、基板３１の抵抗体２３側とその裏側にモールド孔３３が埋まるようにモールドを施している。このような構成とすることで、抵抗体２３の両端に高電位差が発生した場合であっても、抵抗器表面を伝わる沿面放電が発生せず、安定して、放電を継続させることが出来る。
【００２６】
放電ユニット７は、上述のごとく対向電極１４と、この対向電極１４の孔部２１を貫通して配置された放電電極１７と、電源部２０と電気的に接続された電源接続部１９ａ、１９ｂと、電源部２０と電源接続部１９ａの間に抵抗体２３を設けたものである。
【００２７】
電源接続部１９ａ、１９ｂは、ＳＵＳなどのステンレス、アルミ、金、銀、銅などで形成されている。なお、これらに限られること無く、導電性の素材であれば良い。
【００２８】
放電部７ａは、対向電極１４と、放電電極１７と、対向電極１４と放電電極１７を保持する支持部材２２とを備えている。支持部材２２は、仕切板部９（図２に記載）に固定されている。
【００２９】
以下で、各構成の特徴を図３、図４、図５を用いて詳細に説明する。
【００３０】
抵抗体２３は、図５に示すように市販されている四角箱型形状のチップ抵抗器３０を、電源部２０の基板３１上に配置している。
【００３１】
チップ抵抗器３０の両電極間距離が近い場合、両電極間にかかる電位差によっては、両電極間で火花放電や沿面放電が発生してしまう。これを防ぐために、前述したように、チップ抵抗器３０の周囲を絶縁物であるモールド材３２でモールドしている。モールドすることで、両電極間の沿面距離を稼いでいる。
【００３２】
さらに、基板３１にモールド孔３３が開いていることで、モールド材３２がこの孔の中に入り込み、チップ抵抗器３０の裏側も確実に絶縁することができる。
【００３３】
絶縁物としては、エポキシ系の樹脂、シリコンなど絶縁性の高い材料を用いる。
【００３４】
図３（ｂ）に示すように、電源部２０にある第１の高電圧発生手段２６と放電部７ａとを構成する放電回路７ｂ内に抵抗体２３を直列に挿入する効果として、放電電極１７と対向電極１４との間で発生する火花放電を防ぐ効果がある。通常は両電極間でコロナ放電を発生させて、イオンや活性種を発生させているが、両電極の距離が物理的に近づいたり、導電性の付着物により距離が近づいたりした際に、空気が絶縁破壊を起こして、コロナ放電が火花放電に移行することがある。火花放電状態になると、空気は全路破壊状態となり、そこを電子が流れることとなる。つまり、火花放電時はイオンや活性種が発生しなくなってしまう。
【００３５】
そこで、放電回路７ｂ内に、抵抗体２３を挿入することによって、放電電極１７と対向電極１４の間で発生する火花放電を防ぐことができ、安定的にイオンや活性種を発生させるコロナ放電を継続することができる。
【００３６】
火花放電が発生しない原理は以下の通りである。放電電極１７と対向電極１４との距離が除々に近づく場合を考えると、通常の距離であれば、コロナ放電により微小電流が流れている。これは抵抗体２３にも流れているが、電流が微小（数μＡ程度）であるため、抵抗体２３の両端に発生する電位差は大きくない。つまり抵抗体２３を挿入していない場合とさほど変わりなくコロナ放電を発生させることが出来る。
【００３７】
しかし、距離が近づいてくるとコロナ放電による電流は増加していく。電流が増加すると、抵抗体２３の両端に発生する電位差は大きくなっていく。つまり、放電電極１７と対向電極１４の距離が近づくににしたがって、両電極間の電位差が小さくなっていくため、空気の絶縁破壊が起こらず、火花放電に至らないのである。
【００３８】
この作用により、放電電極１７と対向電極１４との距離を近づけて、使用する電圧を下げることが出来るという効果も奏する。使用電圧を下げられれば、電源部のコストを低減することが可能である。また、安全性も向上する。
【００３９】
上記作用を実現させるためには、抵抗体２３の抵抗値を１０〜５００ＭΩの範囲で使用することが肝要である。抵抗体２３が１０ＭΩより小さい場合は、放電電極１７と対向電極１４との距離が近づくような異常時の場合、抵抗体２３の両端で発生する電位差が大きくならない。つまり、放電電極１７と対向電極１４の間の電位差が空気を絶縁破壊する電位差となるため、火花放電が発生してしまう。逆に、５００ＭΩより大きな抵抗値に設定すると、通常の微小なコロナ放電電流であっても、抵抗体２３両端の電位差が大きくなる。つまり、放電電極１７と対向電極１４との電位差がコロナ放電を発生させる電位差より小さくなってしまうため、イオンや活性種の発生が不安定となってしまう。
【００４０】
なお、本実施の形態では抵抗体２３を、電源部２０と電源接続部１９ａの間、つまり放電電極１７との間に、配置しているが、放電回路７ｂ内であればどこでもよく、電源部２０と対向電極１４つまり電源接続部１９ｂの間に配置しても良い。
【００４１】
なお、抵抗体２３として、チップ抵抗器を用いたが、１０〜５００ＭΩの抵抗値を持ったものであれば何でもよく、抵抗体２３の両側に針金状のリード線が付属した抵抗器などを用いてもよい。
【００４２】
対向電極１４は、四角平板形状であり、略中央に開口する孔部２１を有している。なお、対向電極１４の形状は円形や多角形であってもよく、孔部の形状としても、円形状ではなく、四角形・多角形・楕円形状としてもよい。
【００４３】
対向電極１４の材質は、導電性があれば何でも良いが、金属製であることが望ましい。より望ましくは、ＳＵＳ３１６Ｌ、ＳＵＳ３１６、ＳＵＳ３０４、アルマイト処理を施したアルミニウムのいずれかからなるものであることがよい。これらの金属は、オゾン等の活性種に対する耐性が高いため、オゾン等の活性種による腐食に強く、対向電極１４としての耐久性を向上できるからである。
【００４４】
さらに対向電極１４の外形を支持部材２２の内部と略同一の四角形状とすれば、放電部７ａの組立工程において、対向電極１４の位置決めを容易にすることができる。
【００４５】
また、対向電極１４の四角平板形状の１辺から突出している電源接続部１９ｂの場所は、図４に示すものに限らず、どの部位から突出させてもよい。
【００４６】
次に放電電極１７は、棒形状あるいは針形状で、その先端に傾斜部を有し、針固定部材１６から垂直方向に延び、対向電極１４の孔部２１を貫通している。そして、放電電極１７の先端は、対向電極１４から数ミリメートル〜数十ミリメートル程度の所定距離を隔てて孔部２１から突出しており、かつ孔部２１の略中心軸上に位置するものである。略中心軸上とは、孔部２１の中心を通り、対向電極１４に対して垂直な軸上を示す。放電電極１７の材質は、コロナ放電に対して耐久性のあるＳＵＳなどのステンレスやタングステン、チタン、Ｎｉ−Ｃｒ合金、導電性セラミックスなどである。放電可能であれば、炭素・スズ・ＳｉＣなどを含む電極を用いてもよい。
【００４７】
なお、放電電極の先端部は鋭利な円錐状、円柱状、半球状などの形状を利用することができる。鋭利な先端を用いた場合、その先端に電界が集中しやすくなるため、比較的低い電圧でコロナ放電を行うことができる。針先の形状を、円柱状あるいは半球状にした場合は、電界の集中が弱まる。そのため、針形状に比べると高い電圧を印加しないとコロナ放電が発生しないが、電界が分散した状態でコロナ放電が継続されることから、針形状に比べて長時間劣化しにくい放電電極とすることができる。これは、鋭利な針先には電界集中によって金属の溶融やほこりの集中付着が起こりやすいためである。
【００４８】
ここで、放電電極１７にプラスの電圧を印加した場合について図６を用いて説明を行う。
【００４９】
図２の空気清浄装置１を運転し、放電電極１７に電源部２０の第１の高電圧発生手段２６により直流のプラス約３〜１０ｋＶを印加し、対向電極１４をマイナス側（第１の高電圧発生手段２６のグラウンド側）に接続すると、放電電極１７先端近傍に強い電界域が形成され、電界域内の空気を電離させる。このとき発生した電子が空気中の窒素分子および酸素分子に衝突し、窒素分子および酸素分子からは衝突した電子の個数以上の電子が飛び出し、電子を失った窒素分子および酸素分子は正イオンとなる。
【００５０】
分子から飛び出した電子のいくらかは酸素分子と結合して酸素の負イオンとなり、酸素の負イオンは周辺の分子と反応して別の様々な負イオンを生成しながら電子とともに放電電極１７に吸収される。窒素および酸素の正イオンは水分子と反応して別の様々な正イオン生成し、それらは対向電極１４の半導電部１８に向かい、図６の点線で示す電気力線上を移動する。この状態がコロナ放電である。
【００５１】
また、放電電極１７の先端からは、イオン風と呼ばれる気流が発生しており（図６中の点線矢印）、前述した窒素、酸素、水に由来の正イオンは、このイオン風により最初は半導電部１８から遠ざかり、その後、半導電部１８に吸い寄せられるため、図６に示したような放物線を描く電気力線上を移動する。
【００５２】
このコロナ放電状態で、送風手段６による送風が、図２では放電ユニット７の下から、図６では放電部７ａの右から、電気力線上を移動する酸素の正イオンに当たることにより、電気力線上を移動する酸素の正イオンの半数以上が、図６に示すように、送風された風に乗って放電部７ａから放出される。また、図６に示す点線矢印のように、イオン風が発生し、これによってもさらに効率的に正イオンを放出できる。
【００５３】
ここで、第１の高電圧発生手段２６から３〜１０ｋＶの高電圧を印加することによって、十分なイオン量を発生させることができる。１０ｋＶ以上でもイオンは発生するが、放電針の劣化が促進されるなどの副作用が生じるため１０ｋＶ以下で使用することが望ましい。また、３ｋＶ未満では放電が不安定になる場合があるため、３ｋＶ以上で使用することが望ましい。
【００５４】
なお、正イオンが発生すればよいため、放電電極１７が対向電極１４から見て相対的にプラス電圧になっていればよく、第１の高電圧発生手段２６が直流の負電圧を発生させる場合、対向電極１４に負の高電圧側を接続し、放電電極１７にプラス側を接続すれば、正イオンが発生するため、このような接続方法でもよい。
【００５５】
また、本実施の形態では、図２に示すように、放電ユニット７の下流側（排気口４側）に静電霧化ユニット８を設けている。静電霧化ユニット８は、放電電極と、放電電極に対向して位置する対向電極と、放電電極に水を供給する供給手段とを備え、放電電極と対向電極との間に高電圧を印加することで放電電極に保持される水を霧化させてナノメータサイズで強い電荷を持つ帯電微粒子水（マイナスイオンミストで、以下、これをナノイオンミストという）を発生させるものである。ナノイオンミストの粒径は３〜数十ｎｍ程度であって、広範囲に飛散し、滞留時間が長く、壁面などの内部にも浸透し、高い脱臭効果や、ダニや花粉等のアレルゲンの不活性化効果や殺菌効果を発揮することができるものである。
【００５６】
この静電霧化ユニット８の上流側に放電部７ａを有することで、放電部７ａで発生させた正イオンにより、空気中のダニや花粉等のアレルゲンおよび浮遊カビ菌や浮遊菌などの汚れを＋に帯電させ、マイナスイオンである、ナノイオンミストが接触しやすくできる。
【００５７】
すなわち、放電部７ａで発生させた正イオンは、ナノイオンミストの不活性化効果や殺菌効果を向上させる、アシストイオンとして作用する。
【００５８】
図７は、空気清浄装置１の制御回路のブロック図である。図２の空間部１１に電源部２０を含む制御部２５が収納されており、放電部７ａ、静電霧化ユニット８に対し、それぞれ各ユニットに高電圧を印加する第１の高電圧発生手段２６、第２の高電圧発生手段２７が接続され、各高電圧発生手段は制御手段２８に接続されている。
【００５９】
また、制御手段２８には、運転操作スイッチ２９と送風手段６（実際は電動機１２）も接続されており、運転操作スイッチ２９からの入力により、制御手段２８は、送風手段６、第１の高電圧発生手段２６、第２の高電圧発生手段２７を制御している。
【００６０】
本実施の形態では、放電部７ａ、静電霧化ユニット８に対し、別々の高電圧発生手段を用いたが、同じ高電圧を発生させる場合には、一つの高電圧発生手段を共用できる。
【００６１】
このような制御部２５を備えた空気清浄装置１を運転操作スイッチ２９を操作して運転することにより、制御手段２８からの制御信号を受けて、第１の高電圧発生手段２６、第２の高電圧発生手段２７、送風手段６が作動し、排気口４から静電霧化ユニット８から発生したナノイオンミストと、放電部７ａから発生したアシストイオンが室内へ放出される。
【００６２】
その結果、前述したナノイオンミストの効果を発揮できる。すなわち、空気中の菌を不活化することができる。また、空気中の臭いを分解して取り除くことで、脱臭効果を発揮させることができる。また、ナノイオンミストを含む空気を衣類やカーテン等にあてることによって、衣類やカーテンの脱臭・除菌などの効果が期待できる。
【００６３】
（実施の形態２）
本実施の形態は、図８に示すように、抵抗体２３の両側に針金状のリード線３５の付いた、リード線付抵抗器３４を放電電極１７として用いたものである。実施の形態１と同じ構成のものは、同一番号を付し、詳細な説明は省略する。
【００６４】
このリード線付抵抗器３４の一方のリード線３５の先端に傾斜部を設け針状とし、この針状の先端を対向電極１４の孔部２１から突出させ、リード線３５を放電電極１７として使用したものである。リード線３５の先端に傾斜部を設けたのは、電界が先端部に集中しやすくなりコロナ放電が発生しやすいようにするためであり、これにより低い電圧でもコロナ放電を発生させることが出来る。なお先端部に傾斜部を設けないまま放電電極１７として使用しても差し支えないが、この場合使用電圧が、傾斜部がある場合と比較して高くなる。
【００６５】
このように抵抗器のリード線を放電電極１７とすることで、使用する部品点数を削減することができる。
【００６６】
（実施の形態３）
本実施の形態は、図９に示すように、１つの抵抗体２３に対して、複数の放電部７ａを構成するものである。実施の形態１と同じ構成は、同一番号を付し、詳細な説明は省略する。
【００６７】
本実施の形態では、電源部２０と放電電極１７つまり電源接続部１９ａとの間に抵抗体２３を挿入している。その抵抗体２３と放電部７ａの間に分岐点を設け、もう一方の放電部７ａの電源接続部１９ａと接続している。両放電部７ａの対向電極１４は第１の高電圧発生手段２６のマイナス側に接続している。つまり、２個の放電ユニットは並列に接続されていることとなる。
【００６８】
イオンの供給量を増加させたい場合は、放電ユニットを複数使用することが確実な方法であるが、この際、上述のように複数の放電ユニットを並列に接続することによって、１ヶの抵抗器を用いて、複数の放電ユニットにおける、対向電極１４と放電電極１７との間での火花放電を抑制することが可能となる。
【００６９】
図９では、２個の放電ユニットの例を示しているが、２個に限らず複数の放電ユニットを並列に接続して使用することができる。
【００７０】
（実施の形態４）
本実施の形態は、図１０に示すように、放電部７ａの対向電極１４を環状の金属としたものである。実施の形態１と同じ構成は、同一番号を付し、詳細な説明は省略する。
【００７１】
実施の形態１において、対向電極１４は四角平板形状で略中央部に孔部２１を有していたが、本実施の形態においては、この対向電極１４は、針金状の金属を環状に形成し、その中央部に放電電極１７を環状の金属と非接触で直交に貫通した構成としたものである。
【００７２】
放電電極１７の先端は、実施の形態１と同様に、数ミリメートル〜数十ミリメートル程度の所定距離を隔てて環状の金属から突出する構成である。
【００７３】
また、本実施の形態では、抵抗体２３の両側に針金状のリード線３５の付いたリード線付抵抗器３４を用いて、一方のリード線３５を図１０に示すように環状に形成し、対向電極１４として使用している。このような構成とすることで、使用する部品点数を削減することが出来る。
【００７４】
なお、抵抗器付属のリード線３５に限らず、針金のような導電性のある細い金属棒を環状に構成したものを対向電極１４として使用することもでき、製造工程における加工を簡略化、コストの低減ができる。
【００７５】
（実施の形態５）
実施の形態１では、放電電極１７に正極性の高電圧を印加し静電霧化ユニット８との併用で発生させたイオンをアシストイオンとして利用したが、本実施の形態では、放電電極１７に負極性の高電圧を印加し、対向電極１４をプラス側に接続し、単独でマイナスイオンとして利用する場合について説明する。実施の形態１と同じ構成は、同一番号を付し、詳細な説明は省略する。
【００７６】
放電電極１７にマイナスの電圧を印加した場合について図６を用いて説明を行う。
【００７７】
図２の空気清浄装置１（静電霧化ユニット８は備えていない）を運転し、放電電極１７に電源部２０の第１の高電圧発生手段２６によりマイナス約３〜１０ｋＶが印加されると、放電電極１７先端近傍に強い電界域が形成され、電界域内の空気を電離させる。このとき、放電電極１７からは電子が放出され、空気中の窒素分子および酸素分子に衝突し、窒素分子および酸素分子から、衝突した電子の個数以上の電子が飛び出し、電子を失った窒素分子および酸素分子は正イオンとなる。窒素および酸素の正イオンは水分子と反応して別の様々な正イオン生成しながら放電電極１７へ吸収される。一方、分子から飛び出した電子のいくらかは酸素分子と結合して酸素の負イオンとなり、周辺の分子と反応して別の様々な負イオンを生成しながら電子とともに対向電極１４に向かう。
【００７８】
なお、負イオンが発生すればよいため、放電電極１７が対向電極１４から見て相対的にマイナス電圧になっていればよく、第１の高電圧発生手段２６が直流の正電圧を発生させる場合、対向電極１４に正の高電圧側を接続し、放電電極１７にマイナス側を接続すれば、負イオンが発生するため、このような接続方法でもよい。
【００７９】
このように発生した負イオンを実施の形態１と同様に空気清浄装置１の排気口４から室内へ放出することにより、負イオン特有の爽快感（滝の近くの清々しさ）を使用者に感じさせられるという効果を奏する。
【００８０】
なお、実施の形態１の構成で、静電霧化ユニット８を作動させず、放電電極１７にマイナスの電圧を印加して放電部７ａを作動させた場合、本実施形態と同様の作用効果を有する。
【産業上の利用可能性】
【００８１】
本発明にかかる放電ユニットおよびこれを用いた空気清浄装置は、放電電極と対向電極に電源部から電圧を印加してコロナ放電させる放電ユニットにおいて、前記放電電極は針状電極であり、その先端に傾斜部を有し、前記対向電極は平板状で、この平板状の対向電極に対して前記針状の放電電極を非接触で、直交に、かつ、その先端を突出させて配置し、前記放電電極と前記電源部の間または前記対向電極と前記電源部の間に１０〜５００ＭΩの抵抗体２３を直列に配置する構成としたものであるので、放電のスパークを防止しつつ放電電極と対向電極の距離を近づけ、イオンの放出量を増やすことができる。
【００８２】
すなわち、本発明においては、コロナ放電を発生させる回路上に１０〜５００ＭΩの抵抗体２３を直列に配置する構成としたことにより、対向電極と放電電極の距離を近くでき、その結果放電電流が増えるため、イオンの発生量を増やすことができる。
【００８３】
また、放電電極が対向電極に対して非接触で直行して、かつ、その先端を突出させているため、コロナ放電により発生するイオン風の風量を増加させ、例えば放電電極に正極性の電圧を印加した場合、発生したプラスイオンがマイナス側に接続された対向電極に電気的に吸引されるのを抑制でき、イオン風を効率的に利用して、発生したイオンを放出できるものである。
【００８４】
また本発明によれば、対向電極を環状の金属とし、その中央部に放電電極を非接触で直交に貫通する構成にしたことにより、市販の針金状の金属等を使用することができ、簡単に加工することが可能であり、かつ安価に製造することができる。
【００８５】
したがって、室内空間の除菌や脱臭を行う、コロナ放電を利用した空気清浄装置等としての活用が期待される。
【符号の説明】
【００８６】
１      空気清浄装置
２      エアフィルタ
３      吸気口
４      排気口
５      本体
６      送風手段
７      放電ユニット
７ａ    放電部
７ｂ    放電回路
８      静電霧化ユニット
９      仕切板部
１０    風路部
１１    空間部
１２    電動機
１３    羽根部
１４    対向電極
１６    針固定部材
１７    放電電極
１９ａ  電源接続部
１９ｂ  電源接続部
２０    電源部
２１    孔部
２２    支持部材
２２ａ  固定蓋
２２ｂ  台座
２３    抵抗体
２５    制御部
２６    第１の高電圧発生手段
２７    第２の高電圧発生手段
２８    制御手段
２９    運転操作スイッチ
３０    チップ抵抗器
３１    基板
３２    モールド材
３３    モールド孔
３４    リード線付抵抗器
３５    リード線
【図１】
2014121424.tif 000003
【図２】
2014121424.tif 000004
【図３】
2014121424.tif 000005
【図４】
2014121424.tif 000006
【図５】
2014121424.tif 000007
【図６】
2014121424.tif 000008
【図７】
2014121424.tif 000009
【図８】
2014121424.tif 000010
【図９】
2014121424.tif 000011
【図１０】
2014121424.tif 000012